(57)【要約】【課題】  ＬＣＤ及び有機ＥＬパネルのそれぞれの専用ドライバを備えることなく、これら２つのパネルを駆動することを可能とする。【解決手段】  パネルドライバ１０７のコントローラは、表示すべき情報をいずれの表示色によって表示すればよいかを判断し、この表示色に対応した駆動方法を駆動方法制御回路１０７ｂに指示するとともに、この表示色に対応した駆動電圧を駆動電圧制御回路１０７ｃに指示する。このような処理によって、表示色に適した駆動方法と駆動電圧が選択され、この結果、１つのパネルドライバ１０７によって、ＬＣＤ１１２と有機ＥＬパネル１１１とを同時に駆動することが可能となる。【選択図】      図４
2006091894.tif 000002
【特許請求の範囲】
【請求項１】
液晶パネルに対し交流電圧を印加することによって、当該パネルの駆動を制御する液晶パネル制御手段と、
単一色を表示する有機ＥＬ（Electro Luminescence）パネルに対し交流電圧を印加することによって、当該パネルの駆動を制御する有機ＥＬパネル制御手段と、
前記液晶パネル制御手段及び前記有機ＥＬパネル制御手段に対して、前記液晶パネル及び前記有機ＥＬパネルの双方を共通の駆動方法でオンオフ制御することが可能な駆動電圧を供給する電圧供給手段とを具備し、
前記液晶パネル制御手段及び前記有機ＥＬパネル制御手段は、前記供給された駆動電圧に基づいて前記駆動を制御する
ことを特徴とするパネル駆動制御装置。
【請求項２】
請求項１に記載のパネル駆動制御装置において、
前記共通の駆動方法、及び前記電圧供給手段によって供給される駆動電圧は、前記有機ＥＬパネルに表示される前記単一色によって定まっていることを特徴とするパネル駆動制御装置。
【請求項３】
液晶パネルに対し交流電圧を印加することによって、当該パネルの駆動を制御する液晶パネル制御手段と、
複数色を表示する有機ＥＬパネルに対し交流電圧を印加することによって、当該パネルの駆動を制御する有機ＥＬパネル制御手段と、
前記有機ＥＬパネルによって表示される表示色に応じて、前記液晶パネル及び前記有機ＥＬパネルを駆動するための駆動電圧及び駆動方法を選択する駆動方式選択手段と、
前記駆動方式選択手段によって選択された駆動方法を、前記液晶パネル制御手段及び有機ＥＬパネル制御手段に指示する駆動方法指示手段と
前記駆動方式選択手段によって選択された駆動電圧を、前記液晶パネル制御手段及び有機ＥＬパネル制御手段に供給する駆動電圧供給手段とを具備し、
前記液晶パネル制御手段及び前記有機ＥＬパネル制御手段は、前記駆動電圧供給手段によって供給された駆動電圧に基づき、前記駆動方法指示手段によって指示された駆動方法で前記駆動を制御する
ことを特徴とするパネル駆動制御装置。
【請求項４】
請求項３に記載のパネル駆動制御装置において、
前記駆動方式選択手段は、
複数の異なる大きさの駆動電圧の中から、前記有機ＥＬパネルによって表示される表示色を駆動することに適した駆動電圧を選択すると共に、
複数の異なるデューティ比の駆動方法の中から、前記有機ＥＬパネルによって表示される表示色を駆動することに適したデューティ比の駆動方法を選択する
ことを特徴とするパネル駆動制御装置。
【請求項５】
請求項１〜４のいずれか１項に記載のパネル駆動制御装置と、
前記パネル駆動制御装置によって駆動制御される液晶パネルと、
前記パネル駆動制御装置によって駆動制御される有機ＥＬパネルと、
前記パネル駆動制御装置に電源を供給する電源装置と、
前記パネル駆動制御装置に対し、当該装置が駆動制御を行うために必要なクロック信号を供給するクロック供給装置と
を搭載した腕時計型情報機器。
【請求項６】
請求項１〜４のいずれか１項に記載のパネル駆動制御装置と、
前記パネル駆動制御装置によって駆動制御される液晶パネルと、
前記パネル駆動制御装置によって駆動制御される有機ＥＬパネルと、
前記パネル駆動装置に電源を供給する電源装置と、
前記パネル駆動装置に対し、当該装置が駆動制御を行うために必要なクロック信号を供給するクロック供給装置と
を搭載した携帯機器。
【請求項７】
液晶パネル、及び単一色を表示する有機ＥＬパネルの双方を共通の駆動方法でオンオフ制御することが可能な駆動電圧を供給する電圧供給ステップと、
前記供給された駆動電圧に基づき前記液晶パネルに対して交流電圧を印加することによって、当該パネルの駆動を制御する液晶パネル駆動制御ステップと、
前記供給された駆動電圧に基づき前記有機ＥＬパネルに対して交流電圧を印加することによって、当該パネルの駆動を制御する有機ＥＬパネル制御ステップと
を具備することを特徴とするパネル駆動制御方法。
【請求項８】
請求項７に記載のパネル駆動制御方法において、
前記電圧供給ステップにおいて供給される駆動電圧は、前記有機ＥＬパネルに表示される前記単一色によって定まっていることを特徴とするパネル駆動制御方法。
【請求項９】
複数色を表示可能な有機ＥＬパネルによって表示される表示色に応じて、当該有機ＥＬパネル及び液晶パネルを駆動するための駆動電圧及び駆動方法を選択する駆動方式選択ステップと、
前記駆動方式選択ステップにおいて選択された駆動電圧を供給する駆動電圧供給ステップと、
前記選択された駆動方法及び前記供給された駆動電圧に基づき前記液晶パネルに対し交流電圧を印加することによって、当該パネルの駆動を制御する液晶パネル駆動制御ステップと、
前記選択された駆動方法及び前記供給された駆動電圧に基づき前記有機ＥＬパネルに対し交流電圧を印加することによって、当該パネルの駆動を制御する有機ＥＬパネル制御ステップと
を具備することを特徴とするパネル駆動制御方法。
【請求項１０】
請求項９に記載のパネル駆動制御方法において、
前記駆動方式選択ステップにおいては、
複数の異なる大きさの駆動電圧の中から、前記有機ＥＬパネルによって表示される表示色を駆動することに適した駆動電圧を選択すると共に、
複数の異なるデューティ比の駆動方法の中から、前記有機ＥＬパネルによって表示される表示色を駆動することに適したデューティ比の駆動方法を選択する
ことを特徴とするパネル駆動制御方法。
【発明の詳細な説明】
【技術分野】
【０００１】
本発明は、液晶パネルと有機ＥＬパネルを駆動するためのパネル駆動制御装置、このパネル駆動制御装置を備えた腕時計型情報機器及び携帯機器、および、液晶パネルと有機ＥＬパネルを駆動するためのパネル駆動制御方法に関する。
【背景技術】
【０００２】
薄型のディスプレイ装置として、液晶パネル（Liquid Crystal Display、以下、ＬＣＤと呼ぶ）が知られている。このＬＣＤは、低消費電力で駆動するというメリットを有する一方、視野角が狭いという欠点がある。
【０００３】
このようなＬＣＤの欠点を改善したディスプレイとして、有機ＥＬ（Electro Luminescence）パネルがある（例えば特許文献１参照）。この有機ＥＬパネルについては、現在、実用化への開発が進みつつあるが、そのもっとも大きな特徴は、自発光型のディスプレイということである。このため、ＬＣＤのような視野角依存性を持たず、特に腕時計や携帯電話のような携帯機器に好適な次世代ディスプレイとして脚光を浴びている。
【０００４】
しかしながら、有機ＥＬパネルは、消費電力（特に消費電流）が大きいという問題を抱えており、これを改善することが今後の技術的課題とされている。例えば、一般のデジタル腕時計のＬＣＤにおいては、その消費電流が約１ｍＡであるのに対し、有機ＥＬパネルのそれは１ｍＡ程度となる。即ち、有機ＥＬパネルは、同サイズのＬＣＤの約１千倍の消費電流を必要としており、腕時計に搭載されている電池の容量を勘案すると、有機ＥＬパネル発光時には数日で電池容量を使い果たしてしまう計算になる。
【０００５】
そこで、現状では、携帯機器に有機ＥＬパネルを搭載するにしても、この有機ＥＬパネルに情報を常に表示するのではなく、ある限られたタイミングでのみ情報を表示する、というような使用方法が考えられる。一例をあげると、スケジュール管理機能を備えた携帯機器に対しＬＣＤと有機ＥＬパネルの両方を搭載しておき、ＬＣＤには、時刻情報のようなユーザが常に必要とする情報を常時表示させ、有機ＥＬパネルには、スケジュールが到来した時だけ、そのスケジュールを報知するメッセージを表示させる。これによって、有機ＥＬパネルによって消費される電力は極力削減されることになる。
【０００６】
ここで、ＬＣＤと有機ＥＬパネルの駆動方式の違いについて説明する。
ＬＣＤに対しては、一般に、交流電圧を印加して駆動させる。なぜなら、ＬＣＤに直流電圧を印加し続けると、分極という現象を起こして性能が劣化するからである。そこで、ＬＣＤの駆動方式としては、例えばデジタル時計の場合、フレーム周波数２５〜６０Ｈｚ程度の交流波形を印加する方式が採用されている。
一方、有機ＥＬパネルに対しては、直流電圧を印加して駆動させる。これは、有機ＥＬパネルが、一定方向の電流を流し続けることによって発光するという特性を備えているからである。
このような駆動方式の違いから、ＬＣＤに対しては、交流電圧が印加できるような専用ドライバを用い、一方、有機ＥＬパネルに対しては、直流電圧が印加できるような専用ドライバを用いている。
【特許文献１】特開２０００−１８２７６４号公報
【発明の開示】
【発明が解決しようとする課題】
【０００７】
従って、携帯機器にＬＣＤと有機ＥＬパネルの両方を搭載しようとする場合、これらを駆動するための専用ドライバがそれぞれ必要となり、携帯機器の製造コストや製造工程の増大を招く。また、特に腕時計のような、かなり小型の携帯機器においては、これら各専用ドライバの搭載スペースをどのようにして確保するか、ということも問題となってしまう。
【０００８】
本発明は、このような背景の下になされたものであり、ＬＣＤ及び有機ＥＬパネルのそれぞれの専用ドライバを備えることなく、これら２つのパネルを駆動することが可能なパネル駆動制御装置、腕時計型情報機器、携帯機器、及びパネル駆動制御方法を提供することを目的とする。
【課題を解決するための手段】
【０００９】
上述した課題を解決するため、本発明は、液晶パネルに対し交流電圧を印加することによって、当該パネルの駆動を制御する液晶パネル制御手段と、単一色を表示する有機ＥＬパネルに対し交流電圧を印加することによって、当該パネルの駆動を制御する有機ＥＬパネル制御手段と、前記液晶パネル制御手段及び前記有機ＥＬパネル制御手段に対して、前記液晶パネル及び前記有機ＥＬパネルの双方を共通の駆動方法でオンオフ制御することが可能な駆動電圧を供給する電圧供給手段とを具備し、前記液晶パネル制御手段及び前記有機ＥＬパネル制御手段は、前記供給された駆動電圧に基づいて前記駆動を制御することを特徴とする。
この構成によれば、液晶パネル及び有機ＥＬパネルの双方を共通の駆動方法でオンオフ制御することが可能な駆動電圧が液晶パネル制御手段及び有機ＥＬパネル制御手段に供給され、液晶パネル制御手段及び有機ＥＬパネル制御手段は、供給された駆動電圧に基づいて前記駆動を制御する。
【００１０】
前記共通の駆動方法、及び前記電圧供給手段によって供給される駆動電圧は、前記有機ＥＬパネルに表示される前記単一色によって定まっていることが望ましい。
【００１１】
また、本発明は、液晶パネルに対し交流電圧を印加することによって、当該パネルの駆動を制御する液晶パネル制御手段と、複数色を表示する有機ＥＬパネルに対し交流電圧を印加することによって、当該パネルの駆動を制御する有機ＥＬパネル制御手段と、前記記有機ＥＬパネルによって表示される表示色に応じて、前記液晶パネル及び前記有機ＥＬパネルを駆動するための駆動電圧及び駆動方法を選択する駆動方式選択手段と、前記駆動方式選択手段によって選択された駆動方法を、前記液晶パネル制御手段及び有機ＥＬパネル制御手段に指示する駆動方法指示手段と、前記駆動方式選択手段によって選択された駆動電圧を、前記液晶パネル制御手段及び有機ＥＬパネル制御手段に供給する駆動電圧供給手段とを具備し、前記液晶パネル制御手段及び前記有機ＥＬパネル制御手段は、前記駆動電圧供給手段によって供給された駆動電圧に基づき、前記駆動方法指示手段によって指示された駆動方法で前記駆動を制御することを特徴とする。
この構成によれば、有機ＥＬパネルによって表示される表示色に応じて、前記液晶パネル及び前記有機ＥＬパネルを駆動するための駆動電圧及び駆動方法が選択され、選択された駆動方法が液晶パネル制御手段及びＥＬパネル制御手段に指示されるとともに、選択された駆動電圧が液晶パネル制御手段及び有機ＥＬパネル制御手段に供給され、液晶パネル制御手段及び有機ＥＬパネル制御手段は、供給された駆動電圧に基づき、指示された駆動方法でパネル駆動を制御する。
【００１２】
前記駆動方式選択手段は、複数の異なる大きさの駆動電圧の中から、前記有機ＥＬパネルによって表示される表示色を駆動することに適した駆動電圧を選択すると共に、複数の異なるデューティ比の駆動方法の中から、前記有機ＥＬパネルによって表示される表示色を駆動することに適したデューティ比の駆動方法を選択することが望ましい。
【００１３】
また、本発明は、上記のいずれか１のパネル駆動制御装置と、前記パネル駆動制御装置によって駆動制御される液晶パネルと、前記パネル駆動制御装置によって駆動制御される有機ＥＬパネルと、前記パネル駆動制御装置に電源を供給する電源装置と、前記パネル駆動制御装置に対し、当該装置が駆動制御を行うために必要なクロックを供給するクロック供給装置とを搭載した腕時計型情報機器を提供する。
【００１４】
また、本発明は、上記のいずれか１のパネル駆動制御装置と、前記パネル駆動制御装置によって駆動制御される液晶パネルと、前記パネル駆動制御装置によって駆動制御される有機ＥＬパネルと、前記パネル駆動装置に電源を供給する電源装置と、前記パネル駆動装置に対し、当該装置が駆動制御を行うために必要なクロックを供給するクロック供給装置とを搭載した携帯機器ヲ提供する。
【００１５】
また、本発明は、液晶パネル、及び単一色を表示する有機ＥＬパネルの双方を共通の駆動方法でオンオフ制御することが可能な駆動電圧を供給する電圧供給ステップと、前記供給された駆動電圧に基づき前記液晶パネルに対して交流電圧を印加することによって、当該パネルの駆動を制御する液晶パネル駆動制御ステップと、前記供給された駆動電圧に基づき前記有機ＥＬパネルに対して交流電圧を印加することによって、当該パネルの駆動を制御する有機ＥＬパネル制御ステップとを具備することを特徴とする。この方法によれば、液晶パネル及び有機ＥＬパネルの双方を共通の駆動方法でオンオフ制御することが可能な駆動電圧が供給されて駆動が制御される。
【００１６】
前記共通の駆動方法、及び前記電圧供給ステップによって供給される駆動電圧は、前記有機ＥＬパネルに表示される前記単一色によって定まっていることが望ましい。
【００１７】
また、本発明は、複数色を表示可能な有機ＥＬパネルによって表示される表示色に応じて、当該有機ＥＬパネル及び液晶パネルを駆動するための駆動電圧及び駆動方法を選択する駆動方式選択ステップと、前記駆動方式選択ステップによって選択された駆動電圧を供給する駆動電圧供給ステップと、前記選択された駆動方法及び前記供給された駆動電圧に基づき前記液晶パネルに対し交流電圧を印加することによって、当該パネルの駆動を制御する液晶パネル駆動制御ステップと、前記選択された駆動方法及び前記供給された駆動電圧に基づき前記有機ＥＬパネルに対し交流電圧を印加することによって、当該パネルの駆動を制御する有機ＥＬパネル制御ステップとを具備することを特徴としている。
この構成によれば、有機ＥＬパネルによって表示される表示色に応じて、前記液晶パネル及び前記有機ＥＬパネルを駆動するための駆動電圧及び駆動方法が選択され、選択された駆動方法及び選択された駆動電圧に基づきパネル駆動が制御される。
【００１８】
前記駆動方式選択ステップは、複数の異なる大きさの駆動電圧の中から、前記有機ＥＬパネルによって表示される表示色を駆動することに適した駆動電圧を選択すると共に、複数の異なるデューティ比の駆動方法の中から、前記有機ＥＬパネルによって表示される表示色を駆動することに適したデューティ比の駆動方法を選択することが望ましい。
【発明を実施するための最良の形態】
【００１９】
以下、本発明の好適な実施形態について図面を参照して説明する。この実施形態においては、液晶パネルと有機ＥＬパネルを腕時計型情報機器に搭載した場合を例に挙げて説明する。
Ａ：構成
（１）腕時計型情報機器の外観及び内部構造
まず、腕時計型情報機器の外観構成について説明する。
図１は、実施形態に係る腕時計型情報機器１００を表面側から見た平面図である。また、図２は、図１のＡＡ’方向から見た場合の腕時計型情報機器１００の断面図である。
図１（Ａ）に示すように、この腕時計型情報機器１００の表示部１１０には、月日、曜日及び時刻が常時表示されるようになっている。図１（Ａ）に示す例では、現在、１２月８日（金曜日）１３時４５分であることを示している。
このように表示部１１０に常時表示される情報を、以下、常時表示情報と呼ぶ。この常時表示情報は、表示部１１０を構成する液晶ディスプレイ（以下、ＬＣＤと呼ぶ）によって表示されるようになっている。
【００２０】
この腕時計型情報機器１００は、ユーザのスケジュール管理を行うスケジュール管理機能を備えており、スケジュールの開始前の所定期間（例えばスケジュール開始５分前から１０秒間）において、図１（Ｂ）に示すように、スケジュールがあることをユーザに報知するためのメッセージを表示するようになっている。図１（Ｂ）に示す例では、１４時から２０３号ルームでミーティングがあることを示している。このように、表示部１１０に所定期間だけ表示される情報を、以下、限定表示情報と呼ぶ。この限定表示情報は、表示部１１０を構成する、透明の有機ＥＬパネルによって表示される。
なお、図１（Ｂ）には示していないが、限定表示情報は、図１（Ａ）のように表示された常時表示情報の上に重ねあわされた状態で表示されることになる。即ち、ユーザから見た場合、手前側に限定表示情報が表示され、その向こう側に常時表示情報が表示されるようになっている。
【００２１】
次に、腕時計型情報機器１００の内部構造について説明する。
図２に示すように、腕時計型情報機器１００は、カバーガラス１とケース２と裏蓋６とによって形成された筐体内に、回路基板４を備えて構成されている。
回路基板４の裏面側（図面下方）には、基準周波数を有する源発振信号を生成するための水晶振動子５と、腕時計型情報機器１００の各部に電力を供給するための電池１０９とが設けられている。
一方、回路基板４の表面側（図面上方）には、後述するような各種制御処理を司るＩＣチップ３が設けられ、ＩＣチップ３の上方に離間した位置にはＬＣＤ１１２が設けられ、さらにその上方には、有機ＥＬパネル１１１が設けられている。
有機ＥＬパネル１１１は、カバーガラス１と対向する側から、透明ガラス、透明陽極材料、正孔輸送層、有機発光層、電子輸送層及び陰極材料（いずれも図示せず）が順に積層された透明パネルとして構成されている。透明電極は、ＩＴＯ等の導電性を有する透明材料であり、陰極材料は、例えばカルシウム、マグネシウム、アルミニウム等の低仕事関数の金属薄膜によって形成されている。なお、透明ガラスとしては、透明プラスティック等の他の透明材料を代用することもできるし、フレキシブルな材料を用いることも可能である。
【００２２】
このようにＬＣＤ１１２の上方に位置した有機ＥＬパネルが透明であるので、ユーザから見た場合、有機ＥＬパネル１１１に何も表示されていない状態では、この有機ＥＬパネル１１１によって視野を邪魔されることなく、その下方にあるＬＣＤ１１２の表示を参照することができる。また、有機ＥＬパネル１１１に情報が表示されている状態であっても、ＬＣＤ１１２の表示内容が全て見えなくなるわけではなく、そのおおよその内容を参照することは可能である。
【００２３】
（２）有機ＥＬパネル１１１の表示領域
有機ＥＬパネル１１１の表示領域は、その表示色によって、予め３つの領域に区分されている。図３は、有機ＥＬパネルを表面側（カバーガラス１と対向する側）から見た場合の平面図である。図３に示すように、有機ＥＬパネル１１１の表示領域は、図面上方（時計１２時方向）から下方（時計６時方向）に向かって、青色を表示する青色表示領域１１１ｂ、赤色を表示する赤色表示領域１１１ｒ、緑色を表示する緑色表示領域１１１ｇに区分されている。これらの表示領域１１１ｂ、１１１ｒ、１１１ｇは、それぞれの表示領域を構成する有機発光層として用いられる有機材料の違いによって、その表示色が異なっている。
腕時計型情報機器１は、有機ＥＬパネル１１１に限定表示情報を表示させる際、これらの３つの表示領域１１１ｂ、１１１ｒ、１１１ｇのうち、いずれか１つの表示領域を選択して表示させるようになっている。例えば、前述の図１（Ｂ）においては、赤色表示領域１１１ｒにメッセージが表示された例を示している。腕時計型表示機器１００は、限定表示情報をどの表示領域に表示させるかということを、後述するようなテーブル形式で予め記憶しており、この記憶内容に従って表示処理を行う。
【００２４】
（３）腕時計型情報機器１００の電気的構成
次に、図４に示すブロック図を参照しながら、腕時計型情報機器１００の電気的構成について説明する。
図４に示すように、腕時計情報機器１００は、発振回路１０１、分周回路１０２、ＣＰＵ（Central  Processing  Unit）１０３、ＲＯＭ（Read  Only  Memory）１０４、ＲＡＭ（Random  Access  Memory）１０５、操作入力部１０６、パネルドライバ１０７、電池１０９、ＬＣＤ１１２及び有機ＥＬパネル１１１によって構成されている。
【００２５】
発振回路１０１は、前述した５の発振周波数に基づいてクロック信号を生成して分周回路１０２出力する。分周回路１０２は、発振回路１０１から供給されたクロック信号を分周し、これを内部処理用のクロック信号として腕時計型情報機器１００の各部に供給する。
ＲＯＭ１０４には、各種の制御プログラムが格納されており、ＣＰＵ１０３は、これら制御プログラムを読み出して腕時計型情報機器１００の各部を制御する。この際、ＲＡＭ１０５は、ＣＰＵ１０３のワークエリアとして用いられる。
ＲＯＭ１２に格納される制御プログラムには、例えば、ユーザのスケジュールに関するスケジュール情報の記憶・出力を行うためのスケジュール管理プログラムや、表示部１１０に各種情報を表示するためのキャラクタデータを生成するキャラクタ生成プログラムがある。スケジュール管理プログラムが実行されることによって、ＲＡＭ１０５上には、ユーザによって入力された各種スケジュール情報を記録するためのスケジュール管理テーブルが生成され、ＣＰＵ１０３は、このスケジュール管理テーブルを参照しながら、ユーザのスケジュール管理を行う。
操作入力部１０６は、ユーザによる操作スイッチ１２０（図１参照）の押下操作を検出し、この押下操作に応じた出力信号を生成してＣＰＵ１０３に入力する。
【００２６】
パネルドライバ１０７は、図示せぬコントローラの他、駆動方法制御回路１０７ｂ及び駆動電圧制御回路１０７ｃから構成される。このパネルドライバ１０７は、ＣＰＵ１０３による制御の下、ＬＣＤ１１２の駆動制御を行うと同時に、有機ＥＬパネル１１１の駆動制御を行う。即ち、本実施形態では、１つのパネルドライバ１０７が、ＬＣＤ１１２と有機ＥＬパネル１１１の双方を駆動する、共用ドライバとして機能する。
パネルドライバ１０７のコントローラは、図４に示すように駆動方式管理テーブル１０７ａを記憶している。この駆動方式管理テーブル１０７ａには、パネルドライバ１０７が用いるべき駆動電圧及び駆動方法が記述されている。なお、本実施形態では、駆動電圧及び駆動方法を総称して駆動方式と呼ぶ。パネルドライバ１０７のコントローラは、駆動方式管理テーブルを参照して適切な駆動電圧を決定し、電池１０９から供給される電源電圧を前記駆動電圧と同じ電圧値にさせるように駆動電圧制御回路１０７ｃに指示する。また、パネルドライバ１０７のコントローラは、駆動方式管理テーブル１０７ａを参照してパネルドライバ１０７が用いるべき適切な駆動方式を決定し、これを駆動方法制御回路１０７ｂに指示する。
【００２７】
ここで、図５を参照しながら、ＲＡＭ１０５に記憶されるスケジュール管理テーブルの記憶内容について説明する。
図５に示すように、このスケジュール管理テーブルには、「スケジュール年月日」、「スケジュール時刻」、「スケジュール内容」、「表示開始時刻」、「表示時間」、スケジュール内容を表示すべき「表示領域」がそれぞれ対応付けられて設けられている。これらの情報は全て、ユーザが腕時計型情報機器１の入力操作部１０６を操作することによって入力されてもよいし、或いは、表示時刻及び表示領域については、ユーザがその都度入力するのではなく、ＣＰＵ１０３がスケジュール管理プログラムを実行することによって定めてもよい。
図５の例では、２００１年１２月８日の１４時からＲＯＯＭ２０３でミーティング、というスケジュールであり、このスケジュール内容が同日の１３時５５分から１０秒間、有機ＥＬパネル１１２の赤色表示領域１１１ｒに表示されることを示している。
【００２８】
（４）パネルドライバ１０７が共用ドライバとして機能するための構成
本実施形態では、前述したように、パネルドライバ１０７が、ＬＣＤ１１２と有機ＥＬパネル１１１とを同時に駆動する。以下では、パネルドライバ１０７が共用ドライバとして機能するための構成について説明する。
【００２９】
先の説明において、ＬＣＤの性能を劣化させることなく駆動するためには、交流電圧を印加することが必要であると述べた。その一方で、有機ＥＬパネルは、そもそも直流電圧で駆動するものであるが、仮にこの有機ＥＬパネルに交流電圧を印加した場合、その電圧の印加方向が予め決められた基準方向と同じ方向の場合は発光し、逆の場合は発光しないだけで、有機ＥＬパネル自体に損傷を加える等の問題はないことが知られている。
そこで、本実施形態では、ＬＣＤ１１２と有機ＥＬパネル１１１とを共に交流駆動させるようにした。しかしながら、これらＬＣＤ１１２及び有機ＥＬパネル１１１を単に交流駆動させるだけでは、後述するような「ちらつき」或いは「コントラスト不足」といった問題が発生してしまう。
そこで本実施形態では、以下に述べるような原理に基づいて、交流駆動する際の駆動周波数、駆動電圧及び駆動方法を選定し、これによって上記問題を解決している。
【００３０】
（４−１）駆動周波数の選定
まず、駆動周波数の選定について説明する。
図６（Ａ）は、ＬＣＤ及び有機ＥＬパネルについて、１／３デューティのマルチプレクス駆動を行う際の、コモン電極及びセグメント電極の割付例を示す図である。また、図６（Ｂ）は、この割付例において、各コモン電極と各セグメント電極とがキャラクタを表示するための表示セグメントａ〜ｇのいずれに対応しているかということを示す対応図である。図６（Ａ）においては、第１のコモン電極ＣＯＭ０と対応した表示セグメントを網掛けで表示し、第２のコモン電極ＣＯＭ１と対応した表示セグメントを実線で表示し、第３のコモン電極ＣＯＭ２と対応した表示セグメントを斜線で表示している。なお、表示セグメントａ’〜ｇ’は、表示セグメント群ａ〜ｇの一つ隣のセグメント群を参考のために示したものであり、以下の説明においては、表示セグメントａ〜ｇのみに着目して述べることとする。
また、図７は、数字の「５」を表示する場合において、図６のコモン電極及びセグメント電極に印加する交流電圧の波形（以下、駆動波形と呼ぶ）を示した図である。この図７においては、基準となる駆動電圧を３Ｖｂで示しており、この駆動電圧の他に、印加電圧レベルが、０、Ｖｂ、２Ｖｂであることを示している。この駆動電圧３ＶｂがＬＣＤのコモン電極及びセグメント電極間に印加された場合に、その電極間の表示セグメントがオン状態となる。
【００３１】
さて、図６（Ａ）に示すコモン電極ＣＯＭ０とセグメント電極ＳＥＧ０に着目した場合、これら２つの電極間の電圧が駆動電圧３Ｖｂと等しくなった場合に、これらコモン電極ＣＯＭ０及びセグメント電極ＳＥＧ０に対応する表示セグメントａ（図６（Ｂ）参照）がオン状態となる。この場合、ＬＣＤの特性から電圧方向の正負は考慮しなくてよいので、コモン電極ＣＯＭ０及びセグメント電極ＳＥＧ０間の電圧は、図７に示す「ＬＣＤにおけるＣＯＭ０−ＳＥＧ０の駆動波形」に示すようになる。従って、１フレームを構成する期間ｔａ〜ｔｆのうち期間ｔａ及び期間ｔｄにおいてのみ、駆動電圧３Ｖｂが印加されて表示セグメントａはオン状態となる。
一般に、デジタル時計に用いられるＬＣＤにおいて、フレーム周波数は、少なくとも２５Ｈｚ程度に設定されている。従って、上記の例において、表示セグメントａは１フレーム期間中に２回、即ち２５Ｈｚ×２＝５０Ｈｚ程度の周波数でオン状態が繰り返される。一般に、人間の目では、入射光の周波数が約５０Ｈｚ以下であると、ちらついて見えるため、この場合の表示セグメントａは、ちらつきが発生しない最低の周波数でオンオフ制御されているといえる。
【００３２】
次に、図６に示すように構成された有機ＥＬパネルを、図７に示すような１／３デューティの駆動波形によって駆動する場合について考察してみる。
有機ＥＬパネルにおいては、電圧方向の正負を考慮する必要があるので、コモン電極ＣＯＭ０とセグメント電極ＳＥＧ０間には、図７の「有機ＥＬパネルにおけるＣＯＭ０−ＳＥＧ０の駆動波形」に示すように、−３Ｖｂ〜３Ｖｂまでの電圧が段階的に印加されることになる。ここで、有機ＥＬパネル１１１が発光するためには駆動電圧３Ｖｂが必要と仮定すると、この有機ＥＬパネル１１１が発光する期間は、１フレーム期間中の期間ｔａにおいてのみである。従って、有機ＥＬパネルの場合、表示セグメントａは１フレーム期間中で１回、即ちフレーム周波数と同じ２５Ｈｚ程度で繰り返し発光することになる。即ち、人間の目に対する入射光の周波数が約５０Ｈｚ以下になってしまうので、ちらつきが発生してしまう。
【００３３】
そこで、このようなちらつきの問題を解決するべく、本実施形態では、分周回路１０２から供給される駆動周波数を通常（２５Ｈｚ）の２倍程度、即ち、５０Ｈｚ程度に設定している。この場合、有機ＥＬパネル１１２は、駆動周波数と同じ周波数である５０Ｈｚで発光するので、ちらつきが発生しない。また、ＬＣＤ１１２は、５０Ｈｚ×２＝１００Ｈｚでオン状態となり、通常の場合よりむしろ表示品質は向上する。
このようにパネルドライバ１０７の駆動周波数を、ＬＣＤ１１２が通常必要とする駆動周波数のほぼ２倍程度に設定することによって、ＬＣＤ１１２を駆動させるのと同じようにして有機ＥＬパネル１１１を適正に駆動させることが可能となる。
なお、前述したように、通常のＬＣＤのフレーム周波数は２５Ｈｚ程度を下限とし、上限は６０Ｈｚ程度までとなる。従って、ここでいう「ＬＣＤの駆動周波数の２倍程度」とは、「５０程度〜１２０Ｈｚ程度」までのことをいう。ただし、ＬＣＤ自体のフレーム周波数が５０Ｈｚ程度以上であれば、このフレーム周波数をそのまま有機ＥＬパネルに用いても、ちらつきは発生しない計算になる。
【００３４】
（４−２）駆動電圧及び駆動方法の選定
（４−２−１）ＬＣＤと有機ＥＬパネルの応答特性
次に、駆動電圧及び駆動方法の選定について述べるが、その前に、まず、ＬＣＤと有機ＥＬパネルの特性について述べ、それぞれのパネルがオン状態となるための条件について説明しておく。
図８は、ＬＣＤに対する実効電圧と光透過率との関係を示す図である。ＬＣＤは所定期間内に印加された電圧の実効値に応じてオン／オフするような累積応答性を持つことが知られているため、ここでは、図中Ｘ軸の変数として、１フレーム期間内における印加電圧の実効値（実効電圧）を用いている。
図８に示すように、ＬＣＤは実効電圧に対して光透過率が連続して変化するような特性を有している。特に、光透過率９０％程度に対応する電圧Ｖth-LCDから光透過率１０％程度に対応するＶｓａｔまでは非常に急峻な変化が見られる。ここで、電圧Ｖth-LCDを、ＬＣＤをオンとするために必要な最低限の実効電圧として定義し、以下、閾値電圧Ｖth-LCDと呼ぶ。従って、ＬＣＤをオンとするためには、この閾値電圧Ｖth-LCDより大きいオン電圧Ｖon-LCDを印加し、ＬＣＤをオフとするためには閾値電圧Ｖth-LCDより小さいオフ電圧Ｖoff-LCDを印加する必要がある。つまり、ＬＣＤをオンオフ制御するためには、上記Ｖth-LCD、Ｖon-LCD、Ｖoff-LCDが次に示す関係式を満たす必要がある。
Ｖoff-LCD＜Ｖth-LCD＜Ｖon-LCD・・・(1)
以下、この式(1)に示す条件をＬＣＤの点灯条件と呼ぶ。
【００３５】
次に、図９（Ａ）は、有機ＥＬパネルにおける電流と輝度との関係を示すグラフであり、図９（Ｂ）は、有機ＥＬパネルにおける電圧と電流との関係を示すグラフである。
図９（Ａ）に示すように、有機ＥＬパネルは電流に対して輝度が連続して変化するような特性を有している。図９（Ａ）において、人間の目から見て良好な視認性を確保することができる輝度をＸとし、この輝度Ｘを得るために必要な電流をＹとする。そして、図９（Ｂ）において、この電流Ｙを得るために必要な電圧を、必要電圧Ｖth-ELとする。
従って、有機ＥＬパネルをオンオフ制御するためには、有機ＥＬパネルをオンとするため印加するオン電圧Ｖon-ELと、上記の必要電圧Ｖth-ELとが次に示す関係式を満たす必要がある。
Ｖth-EL＜Ｖon-EL・・・(2)
以下、この式(2)に示す条件を有機ＥＬパネルの点灯条件と呼ぶ。
【００３６】
（４−２−２）緑色表示の場合の駆動電圧及び駆動方法
有機ＥＬパネル１１２は、その表示色に応じて必要電圧Ｖth-ELが異なることが知られている。例えば、緑色表示の場合は、必要電圧Ｖth-EL＝３．０（Ｖ）である。以下、この必要電圧の値に基づいて、緑色表示の場合の駆動電圧及び駆動方法について説明する。なお、以下の説明では、本実施形態で用いるＬＣＤ１１２の閾値電圧をＶth-LCD＝２．０（Ｖ）とし、パネルドライバ１０７の駆動電圧を３Ｖｂ＝４．２（Ｖ）とする。
【００３７】
まず、ＬＣＤ１１２のオフ電圧については、図７においてオフ状態となるコモン電極ＣＯＭ０及びセグメント電極ＳＥＧ１間の電圧を考えれば容易に理解できるように、Ｖoff-LCD＝１．４（Ｖ）（＝Ｖｂ）となる。また、ＬＣＤ１１２のオン電圧については、図７のコモン電極ＣＯＭ０及びセグメント電極ＳＥＧ０間の電圧の実効値を求めればよいから、Ｖon-LCD＝（（（３Ｖｂ）２＋Ｖｂ２＋Ｖｂ２）／３）１／２＝２．６８（Ｖ）となる。
これらＶoff-LCD＝１．４（Ｖ）、Ｖth-LCD＝２．０（Ｖ）、Ｖon-LCD＝２．６８（Ｖ）を式(1)に代入すると、
Ｖoff-LCD（１．４Ｖ）＜Ｖth-LCD（２．０Ｖ）＜Ｖon-LCD（２．６８Ｖ）
となり、ＬＣＤの点灯条件を満たすので、ＬＣＤ１１２のオンオフ制御が可能となる。
【００３８】
一方、有機ＥＬパネル１１１のオン電圧については、ＬＣＤ１１２のような累積応答性を考慮しなくてよいので、図７に示すコモン電極ＣＯＭ０及びセグメント電極ＳＥＧ０間の期間ｔａに印加されるＶon-EL＝４．２（Ｖ）（＝３Ｖｂ）となる。これらＶth-EL＝３．０（Ｖ）、Ｖon-EL＝４．２（Ｖ）を式(2)に代入すると、
Ｖth-EL（３．０Ｖ）＜Ｖon-EL（４．２Ｖ）
となり、有機ＥＬパネルの点灯条件を満たすので、有機ＥＬパネル１１１のオンオフ制御が可能となる。
【００３９】
このように、駆動電圧を４．２（Ｖ）とし、駆動方法を１／３デューティのマルチプレクス駆動とした場合、ＬＣＤ１１２を駆動させつつ、有機ＥＬパネル１１１に緑色を表示することが可能となることがわかる。
【００４０】
（４−２−３）赤色表示の駆動電圧
次に、１／３デューティのマルチプレクス駆動による赤色表示の場合を想定して、上記と同様の検討を行う。赤色表示の場合は、有機ＥＬパネル１１１の必要電圧はＶth-EL＝４．０（Ｖ）となる。また、ＬＣＤ１１２の閾値電圧は上記と同様に、Ｖth-LCD＝２．０（Ｖ）である。また、駆動電圧３Ｖｂについては、有機ＥＬパネル１１１の必要電圧Ｖth-EL＝４．０（Ｖ）より十分大きくするため、３Ｖｂ＝４．５（Ｖ）とした。
【００４１】
まず、有機ＥＬパネル１１１については、Ｖth-EL＝４．０（Ｖ）、Ｖon-EL＝４．５（Ｖ）となり、式(2)に示す有機ＥＬパネルの点灯条件を満たし、オンオフ制御が可能となる。
【００４２】
一方、ＬＣＤ１１２のオフ電圧については、図７を参照すればわかるように、Ｖoff-LCD＝１．５（Ｖ）（＝Ｖｂ）となる。また、ＬＣＤ１１２のオン電圧は、Ｖon-LCD＝（（（３Ｖｂ）２＋Ｖｂ２＋Ｖｂ２）／３）１／２＝２．８７（Ｖ）となる。
これらＶoff-LCD＝１．５（Ｖ）、Ｖth-LCD＝２．０（Ｖ）、Ｖon-LCD＝２．８７（Ｖ）を式(1)に代入すると、
Ｖoff-LCD（１．５Ｖ）＜Ｖth-LCD（２．０Ｖ）＜Ｖon-LCD（２．８７Ｖ）
となり、ＬＣＤの点灯条件を満たす。
【００４３】
ここで、ＬＣＤ１１２のコントラストをより向上させるための対策として、駆動電圧３Ｖｂ＝４．８（Ｖ）と高くした場合について考察する。
この場合、有機ＥＬパネル１１１については、Ｖth-EL＝４．０（Ｖ）、Ｖon-EL＝４．８（Ｖ）となり、式(2)に示す有機ＥＬパネルの点灯条件を満たし、オンオフ制御が可能となる。
【００４４】
一方、ＬＣＤ１１２のオフ電圧については、Ｖoff-LCD＝１．６（Ｖ）（＝Ｖｂ）となる。また、ＬＣＤ１１２のオン電圧については、Ｖon-LCD＝（（（３Ｖｂ）２＋Ｖｂ２＋Ｖｂ２）／３）１／２＝３．０６（Ｖ）となる。
即ち、ＬＣＤ１１２のオフ電圧Ｖoff-LCDとオン電圧Ｖon-LCDとの差が、
３．０６−１．６＝１．４６（Ｖ）
となり、駆動電圧３Ｖｂ＝４．５（Ｖ）の場合のオフ電圧Ｖoff-LCDとオン電圧Ｖon-LCDとの差である
２．８７−１．５＝１．３７（Ｖ）
より大きくなるので、コントラストの向上に寄与することが期待される。
しかしながら、実際は、Ｖoff-LCD＝１．６（Ｖ）がＬＣＤ１１２の閾値電圧Ｖth-LCD＝２．０（Ｖ）に近い値となってしまい、Ｖoff-LCD＝１．６（Ｖ）とＶth-LCD＝２．０（Ｖ）というような大小関係では、十分なオフ特性が得られない。従って、ＬＣＤ１１２においては、常にオン気味のコントラストのない状態、即ちハーフトーンが発生してしまう虞がある。
【００４５】
そこで、本実施形態では、駆動電圧３Ｖｂを高くすることなくＬＣＤ１１２のコントラストを向上させるための対策として、駆動方法を１／２デューティのマルチプレクス駆動にしている。
図１１（Ａ）に赤色表示時領域１１１ｒを１／２デューティ駆動した場合の駆動波形を示し、図１１（Ｂ）に赤色表示時領域１１１ｒのコモン電極とセグメント電極の割付例を示す。なお、図１１（Ａ）は、図１１（Ｂ）に示す割付例において、数字の「５」を表示する場合の駆動波形である。
このような１／２デューティ駆動によって有機ＥＬパネル１１１に赤色を表示する場合を想定し、駆動電圧３Ｖｂ＝４．５（Ｖ）で１／３デューティ駆動とした場合について考察する。
【００４６】
まず、有機ＥＬパネル１１１については、Ｖth-EL＝４．０（Ｖ）、Ｖon-EL＝４．５（Ｖ）となり、式(2)に示す有機ＥＬパネルの点灯条件を満たし、オンオフ制御が可能である。
【００４７】
一方、ＬＣＤ１１２については、Ｖoff-LCD＝１．５（Ｖ）（＝Ｖｂ）、Ｖth-LCD＝２．０（Ｖ）、Ｖon-LCD＝（（（３Ｖｂ）２＋Ｖｂ２）／２）１／２＝３．３５（Ｖ）となり、式(1)に示すＬＣＤの点灯条件を満たす。
これに加えて、ＬＣＤ１１２のオフ電圧Ｖoff-LCDとオン電圧Ｖon-LCDとの差が、３．３５−１．５＝１．８５（Ｖ）となり、１／３デューティ駆動時のオフ電圧Ｖoff-LCDとオン電圧Ｖon-LCDとの差（１．３７（Ｖ））より大きくなるので、コントラストの向上に寄与する。
さらに、Ｖoff-LCD＝１．５（Ｖ）は、ＬＣＤ１１２の閾値電圧Ｖth-LCD＝２．０（Ｖ）より十分小さいので、良好なオフ特性が得られることとなる。
【００４８】
このように、駆動電圧３Ｖｂ＝４．５（Ｖ）とし、駆動方法を１／２デューティのマルチプレクス駆動とした場合、ＬＣＤ１１２のオンオフ制御を良好に行いつつ、有機ＥＬパネル１１１に赤色を表示することが可能となる。
【００４９】
（４−２−４）青色表示の駆動電圧及び駆動方法
次に、青色表示の場合を想定して、上記と同様の検討を行う。青色表示の場合は、有機ＥＬパネル１１１の必要電圧はＶth-EL＝５．０（Ｖ）となる。また、ＬＣＤ１１２の閾値電圧は上記と同様に、Ｖth-LCD＝２．０（Ｖ）である。また、駆動電圧３Ｖｂ＝５．４（Ｖ）とした。
この場合、ＬＣＤ１１２については、オン電圧Ｖon-LCD＝（（（３Ｖｂ）２＋Ｖｂ２＋Ｖｂ２）／３）１／２＝３．４４（Ｖ）となり、Ｖth-LCD＝２．０（Ｖ）より大きく、オン制御には十分な値となる。しかしながら、オフ電圧はＶoff-LCD＝１．８（Ｖ）（＝Ｖｂ）であり、閾値電圧Ｖth-LCD＝２．０（Ｖ）と近い値となってしまうので、前述したようなハーフトーンが発生する虞がある。
一方、有機ＥＬパネル１１１については、
Ｖth-EL（５．０Ｖ）＜Ｖon-EL（５．４Ｖ）
となり、式(2)の有機ＥＬパネルの点灯条件を一応満たすが、この程度の大小関係では十分な輝度が得られない虞がある。
【００５０】
そこで、駆動電圧３Ｖｂの値をさらに大きくし、例えば、駆動電圧３Ｖｂを６．０（Ｖ）とした場合を想定してみる。
この場合、式(2)の有機ＥＬパネルの点灯条件は満たされ、良好なオンオフ制御が可能となる。
一方、ＬＣＤ１１２については、オン電圧Ｖon-LCD＝（（（３Ｖｂ）２＋Ｖｂ２＋Ｖｂ２）／３）１／２＝３．８２（Ｖ）となり、Ｖth-LCD＝２．０（Ｖ）より大きく、オン制御には十分な値となる。しかしながら、オフ電圧Ｖoff-LCD＝２．０（Ｖ）（＝Ｖｂ）となり、これは閾値電圧Ｖth-LCD＝２．０（Ｖ）と同じ値となってしまう。これは、ＬＣＤ１１２が常にオン状態となり、オフ制御ができないことを意味している。
【００５１】
以上の考察結果から、有機ＥＬパネルの点灯条件を満たすようにするために駆動電圧３Ｖｂの値を調整しただけでは、ＬＣＤ１１２のコントラストの問題が生じてしまい、得策ではないという結論になる。
【００５２】
そこで、本実施形態では、駆動電圧３Ｖｂを調整すると共に、駆動方法を変えることによって、有機ＥＬパネルの点灯条件を満たすようにした。具体的には、青色表示の場合、１／３デューティのマルチプレクス駆動に代えて、スタティック駆動を採用する。
図１０（Ａ）に青色表示時領域１１１ｂをスタティック駆動の場合の駆動波形を示し、図１０（Ｂ）に青色表示時領域１１１ｂのコモン電極とセグメント電極の割付例を示す。図１０（Ｂ）において、オン状態にしたい表示セグメントに対しては、対応するコモン電極とセグメント電極とに互いに逆位相の駆動波形の電圧を印加する。一方、オフ状態にしたい表示セグメントに対しては、対応するコモン電極とセグメント電極とに互いに同位相の駆動波形の電圧を印加する。
【００５３】
このスタティック駆動において、上記の青色表示の場合を想定して、駆動電圧３Ｖｂ＝６．０（Ｖ）、閾値電圧Ｖth-LCD＝２．０（Ｖ）、必要電圧Ｖth-EL＝５．０（Ｖ）という条件で上記と同様の検討を行う。
ＬＣＤ１１２については、Ｖoff-LCD＝０（Ｖ）、Ｖth-LCD＝２．０（Ｖ）、Ｖon-LCD＝６.０（Ｖ）となり、式(1)に示すＬＣＤの点灯条件を満たすので、ＬＣＤ１１２のオンオフ制御が可能である。
一方、有機ＥＬパネル１１１についても、Ｖth-EL＝５．０（Ｖ）、Ｖon-EL＝６．０（Ｖ）（＝３Ｖｂ）となり、式(2)に示す有機ＥＬパネルの点灯条件を満たすと共に、必要電圧Ｖth-ELとオン電圧Ｖon-ELとの大小関係も十分であるので、良好なオンオフ制御が可能となる。
【００５４】
上述したように、本実施形態では、有機ＥＬパネルにおける表示色に応じて、駆動電圧及び駆動方法を変えて、良好なオンオフ制御を可能としている。図１２は、有機ＥＬパネル１１１における表示色と、この表示色に適した駆動電圧及び駆動方法との対応関係を示した駆動方式管理テーブルを示す図である。
パネルドライバ１０７は、図１２に示すような駆動方式管理テーブルを記憶しており、ＣＰＵ１０３から指示された色を表示する際には、この駆動方式管理テーブルを参照することによって適切な駆動電圧及び駆動方法を決定する。
【００５５】
なお、上記の説明で述べた好適な駆動電圧と駆動方法の組み合わせ例を図１３に示し、上述したような不具合が生じるような駆動電圧と駆動方法の組み合わせ例を図１４に示している。図１４において、ＬＣＤのオフ電圧値及び有機ＥＬのオン電圧値の下に表記した×印は、ＬＣＤ１１２のオフ特性が得られないことを示しており、▲印は、ＬＣＤ１１２のオフ特性が十分に得られないことを示しており、△印は、有機ＥＬパネル１１１のオン特性が十分に得られないことを示している。
【００５６】
（４−２−５）ＬＣＤ１１１の電極割付
上述したように、緑色表示領域１１１ｇは１／３デューティ、赤色表示領域１１１ｒは１／２デューティ、青色表示領域１１１ｂはスタティック駆動によって駆動すればよいため、これらの表示領域１１１ｇ、１１１ｒ、１１１ｂを構成するコモン電極及びセグメント電極は、それぞれ図６（Ａ）、図１０（Ｂ）、図１１（Ｂ）に示すようにして割り付けられていればよい。
一方、ＬＣＤ１１２は、有機ＥＬパネル１１１にどの色が表示されるかによって異なる駆動方法で駆動しなければならない。具体的には、緑色表示領域１１１ｇが駆動するときは１／３デューティ、赤色表示領域１１１ｒが駆動するときは１／２デューティ、青色表示領域１１１ｂが駆動するときはスタティック駆動、というような駆動方法で駆動しなければならない。
そこで、このような複数の駆動方法に対応するために、ＬＣＤ１１２のコモン電極及びセグメント電極の割付を図１０（Ｂ）に示すスタティック駆動の場合と同様の割付とする。
【００５７】
例えば、１／２デューティの場合、ＬＣＤ１１２のコモン電極に対しては例えば図１１（Ａ）のＣＯＭ１と同一の駆動波形の電圧を印加しておき、オン状態にしたいセグメント電極に対しては例えば図１１（Ａ）のＳＥＧ１と同一の駆動波形の電圧を印加し、オフ状態にしたいセグメント電極に対しては例えば図１１（Ａ）のＳＥＧ２と同一の駆動波形の電圧を印加すればよい。
【００５８】
また、１／３デューティの場合、ＬＣＤ１１２のコモン電極に対しては例えば図７のＣＯＭ０と同一の駆動波形の電圧を印加しておき、オン状態にしたいセグメント電極に対しては例えば図７のＳＥＧ０と同一の駆動波形の電圧を印加し、オフ状態にしたいセグメント電極に対しては例えば図７のＳＥＧ１と同一の駆動波形の電圧を印加すればよい。
【００５９】
Ｂ：動作
次に、上記構成からなる実施形態の動作について説明する。
腕時計型情報機器１００のＣＰＵ１０３は、スケジュール管理プログラムを実行することによって、ＲＡＭ１０５に記憶されているスケジュール管理テーブルを定期的にスキャンする。
そして、ＣＰＵ１０３は、分周回路１０２から供給されるクロックに基づいて現在時刻を計時し、この現在時刻がスケジュール管理テーブル上の表示開始時刻と一致すると、このスケジュール管理テーブルからスケジュール内容及び表示領域を読み出す。ここでは、分周回路から供給される現在時刻が１３時５５分となり、図５に示したスケジュール管理テーブル上の表示開始時刻「１３時５５分」と一致した場合を想定する。
次いで、ＣＰＵ１０３は、キャラクタ表示プログラムを起動して、スケジュール内容（ここでは、１４：００  ＲＯＯＭ２０３  ＭＥＥＴＩＮＧ）を表示するためのキャラクタデータを生成し、このキャラクタデータをパネルドライバ１０７に供給すると共に、読み出した表示領域（ここでは、赤色表示領域１１１ｒ）をパネルドライバ１０７に通知する。
【００６０】
一方、パネルドライバ１０７のコントローラは、ＣＰＵ１０３からの指示に応じて、図１５に示すルーチンを実行する。図１５において、まず、パネルドライバ１０７は、指示された表示領域がいずれの色であるかを判断する（ステップＳ１）。ここでは、赤色表示領域１１１ｒであるので（ステップＳ１；赤）、次なるステップＳ４に進む。
【００６１】
ステップＳ４において、パネルドライバ１０７のコントローラは、図１２に示す駆動方式管理テーブル１０７ａを参照し、赤色に対応した駆動方法、即ち１／２デューティのマルチプレクス駆動を行うように駆動方法制御回路１０７ｂに指示する。これに応じて、駆動方法制御回路１０７ｂは、所定のスイッチング処理を行い、１／２デューティ駆動を実行するための設定動作を行う。
【００６２】
次いで、処理はステップＳ５に進み、パネルドライバ１０７のコントローラは、駆動方式管理テーブル１０７ａを参照し、赤色に対応した駆動電圧、即ち４．５（Ｖ）を駆動電圧制御回路１０７ｃに指示する。
これに応じて、駆動電圧制御回路１０７ｃは、所定のスイッチング処理を行い、電池１０９から供給される電圧を、指示された駆動電圧４．５（Ｖ）まで変圧する。
【００６３】
このようにして駆動方式が設定されると、パネルドライバ１０７は、ＣＰＵ１０３から供給されたキャラクタデータ及び表示領域に基づいて、コモン電極及びセグメント電極に所定の電圧を印加し、図１（Ｂ）に示すようなスケジュール内容を表示させる。また、ＬＣＤ１１２にもともと表示されていた時刻情報は、設定された駆動方式によって表示状態が継続されることになる。
この際、パネルドライバ１０７は、図１６（Ａ）→（Ｂ）→（Ｃ）に示すように、有機ＥＬパネル１１１の右端から順番にスケジュール内容を表示させる。これによって、ユーザの目から見た場合に面白みのある表示態様が実現できる。
【００６４】
なお、上記の例では、赤色表示領域１１１ｒに表示させる場合であったが、スケジュール管理テーブルにおいて限定表示情報が青色表示領域と対応付けられて記憶されている場合は、パネルドライバ１０７のコントローラは、青色に対応した駆動方法（スタティック駆動）を行うように駆動方法制御回路１０７ｂに指示し（ステップＳ２）、青色に対応した駆動電圧（６．０（Ｖ））にするよう駆動電圧制御回路１０７ｃに指示する（ステップＳ３）。
【００６５】
また、同様に、スケジュール管理テーブルにおいて限定表示情報が緑色表示領域１１１ｇと対応付けられて記憶されている場合は、パネルドライバ１０７のコントローラは、緑色に対応した駆動方法（１／２デューティ）を行うように駆動方法制御回路１０７ｂに指示し（ステップＳ６）、緑色に対応した駆動電圧（４．２（Ｖ））にするよう駆動電圧制御回路１０７ｃに指示する（ステップＳ７）。
【００６６】
以上述べた実施形態によれば、有機ＥＬパネル１１１が交流駆動された場合に、その表示対象となる限定表示情報をちらつかせないで表示させるために必要な駆動周波数に基づいて液晶パネル及び有機ＥＬパネルを交流駆動制御するので、単体のパネルドライバ１０７を共用ドライバとして利用できる。
また、有機ＥＬパネル１１１に表示すべき色に適した駆動方式を選択し、この駆動方式に基づいてＬＣＤ１１２に常時表示情報を表示する一方、有機ＥＬパネル１１１に限定表示情報を表示することが可能となる。
【００６７】
Ｃ：実施形態の変形例
本発明は上述した実施形態に限定されず、以下のような種々の変更が可能である。
（１）常時表示情報と限定表示情報の種類
実施形態では、常時表示情報として日時に関連した情報を用い、限定表示情報としてスケジュールに関連した情報を用いていたが、これに限定されるわけではない。常時表示情報としては、ユーザが常時表示させたいと思うような情報であればよく、例えば、ユーザの趣向に合った図柄や、スケジュールの概要一覧等であってもよい。また、限定表示情報としては、ユーザの注意をひきたいと思うような情報であればよく、例えば、定期的に報知される時報メッセージであってもよいし、或いは、通信機能付の腕時計型表示機器であれば着信報知メッセージであってもよい。また、ユーザのイベントに応じてそのイベント時のみ表示するような情報であってもよい。
【００６８】
（２）駆動周波数及び駆動方式の選定
実施形態では、駆動周波数や駆動電圧の値及び駆動方法のバリエーションを具体的に開示したが、必ずしもこの開示内容に限定されるわけではない。
なぜなら、表示色に応じて選定すべき駆動周波数及び駆動方式は、ＬＣＤ１１２の閾値電圧Ｖth-LCDや有機ＥＬパネル１１１の必要電圧Ｖth−EL等の各種条件によって定まるものであり、どのようなＬＣＤ１１２と有機ＥＬパネル１１１をどのように使用するかということに応じて様々に変化し得るからである。
特に、有機ＥＬパネル１１１の必要電圧Ｖth−ELは、当該パネル１１１の有機材料が高分子か低分子かということによって異なっている。実施形態で述べたものは高分子型の有機ＥＬパネルを想定しているが、低分子型の有機ＥＬパネルでは、赤色を表示するときの必要電圧Ｖth-ELが、青色や緑色のそれよりも高くなる。
また、輝度特性が各色によって異なる場合もある。例えば、１００（ｃｄ／ｍ２）程度のかなり明るい輝度を各色で得ようとすると、赤色を表示する場合のほうが、緑色や青色を表示する場合より大きな電流を必要とすることがあり、このため高い電圧を印加しなければならない。
また、これに加えて、人間の視感度の影響もある。有機ＥＬパネルによって例えばテレビジョンのようなフルカラー表示を行う場合、人間の視感度は、緑色や赤色については高く、青色については低いことが知られている。このため、これら３色を重ね合わせて白色を再現しようとする場合、青色を他の色より強く発光させる必要があり、この結果、大きな電圧をかけて電流をより多く流さなければならない。
このように、各種の条件によって、駆動周波数及び駆動方式を選定する際の基準は異なってしまうが、いずれにしろ、本実施形態で開示した原理に基づいて好適な駆動周波数及び駆動方式を決定することは可能である。従って、パネルドライバ１０７の設計者は、どのようなＬＣＤ１１２と有機ＥＬパネル１１１をどのように使用するかということに応じて、本実施形態において開示した原理に基づき、駆動周波数及び駆動方式と表示色の好適な組み合わせを適宜定めればよい。
【００６９】
（３）セグメント電極とコモン電極の割付
マルチプレクス駆動時のセグメント電極とコモン電極の割付例を図６、１１に示したが、必ずしもこれに限定されないことはもちろんである。
また、実施形態ではセグメント型のＬＣＤ１１２及び有機ＥＬパネル１１１について説明したが、マトリクス型のＬＣＤ１１２及び有機ＥＬパネル１１１であってもよい。
【００７０】
（４）腕時計型情報機器１００の構造
腕時計型情報機器１００の構造は実施形態で説明したものに限定されない。例えば、図２に示す有機ＥＬパネル１１１とＬＣＤ１１２とは上下関係が逆であってもよい。この場合は、ＬＣＤ１１２が透明部材によって構成された透明パネルとなる。
また、図１において表示部１１０が円形の例を示したが、これに限定されるわけではなく、楕円形状、トラック形状、多角形状など他の形状であってもかまわない。
また、操作スイッチ１２０の構成は、図１に示すようなものに限定されず、もっと多数のスイッチ群を備えて、ユーザが各種キャラクタを入力しやすいようにすれば、ユーザフレンドリな腕時計型情報機器が提供できる。
【００７１】
（５）表示領域の態様
有機ＥＬパネル１１１は、表示領域１１１ｂ、１１１ｒ、１１１ｇの３つ全てを備えている必要はなく、このうちの１つ又は２つを備える構成でもよい。
例えば、有機ＥＬパネル１１１が緑色表示領域１１１ｇのみによって構成された単一色ディスプレイである場合、複数の駆動電圧や複数の駆動方法の中から最適なものを表示色に応じてその都度選択する必要はない。即ち、パネルドライバ１０７の設計段階で、緑色表示に適した駆動電圧及び駆動方法を決定しておくとともに、有機ＥＬパネルの表示対象をちらつかせないで表示させるために必要な駆動周波数を決定しておけばよい。即ち、駆動方法及び駆動電圧を選択するための構成及び動作は、有機ＥＬパネル１１１の表示色が１色の場合は必要ではない。
【００７２】
また、有機ＥＬパネル１１１が表示領域１１１ｂ、１１１ｒ、１１１ｇのうちの２つを備える場合、駆動方式管理テーブル１０７ａには３色に対応した駆動方式を記憶する必要はなく、２色に対応したものでよい。
例えば、有機ＥＬパネル１１１が、赤色表示領域１１１ｒ及び青色表示領域１１１ｂのみによって構成されている場合、  駆動方式管理テーブル１０７ａには、赤色表示領域１１１ｒ及び青色表示領域１１１ｂに対応した駆動電圧及び駆動方法が記憶されているだけでよく、パネルドライバ１０７は、このテーブルの記憶内容に従って駆動方式を定めればよい。これは、有機ＥＬパネル１１１が赤色表示領域１１１ｒ及び緑色表示領域１１１ｇのみによって構成されている場合、或いは、青色表示領域１１１ｂ及び緑色表示領域１１１ｇのみによって構成されている場合も同様である。
【００７３】
また、表示領域１１１ｂ、１１１ｒ、１１１ｇの形状は、図３に示したものに限らず、例えば、円形の表示領域や多角形の表示領域であってもよい。
【００７４】
（６）ソフトウェア及びハードウェア構成
実施形態では、パネルドライバ１０７のコントローラによって実行されるソフトウェアによって、上述した駆動方式の選択処理が実現されるものと説明した。ただし、これに限らず、パネルドライバ１０７内のハードウェアである論理回路のみ、あるいは、論理回路とコントローラを含む処理回路とソフトウェアとを組み合わせることで実現することも可能である。
また、ＣＰＵ１０３が駆動方式の選択処理を実行し、パネルドライバ１０７はその処理結果に従ってパネル駆動制御を行うだけでもよい。この場合、特許請求の範囲の「パネル駆動制御装置」という用語には、上記ＣＰＵ１０３をも含むことになる。
【００７５】
（７）搭載機器の種類
実施形態では、ＬＣＤ１１２、有機ＥＬパネル１１１、及びパネルドライバ１０７を腕時計型表示機器１００に搭載した例を説明したが、これに限らず、携帯電話機等の通信機器、ＭＰ３プレーヤ等の小型の音楽再生機器、ＰＤＡ等のモバイル端末、或いはデジタルカメラ等の様々な携帯機器に搭載可能である。
【図面の簡単な説明】
【００７６】
【図１】本発明の実施形態に係る腕時計型情報機器の外観構成を示す平面図である。
【図２】同実施形態に係る腕時計型情報機器を図１におけるＡＡ’方向から見た場合の断面図である。
【図３】同実施形態に係る有機ＥＬパネルが備える各表示領域を示す平面図である。
【図４】同実施形態に係る腕時計型情報機器の電気的構成を示すブロック図である。
【図５】同実施形態に係る腕時計型情報機器のＲＡＭに生成されるスケジュール管理テーブルを示す図である。
【図６】同実施形態に係る腕時計型情報機器の表示部のセグメント電極とコモン電極の割付例を示す模式図である。
【図７】同実施形態に係る腕時計型情報機器の表示部のセグメント電極とコモン電極の駆動波形を示す波形図である。
【図８】ＬＣＤの駆動特性を示す図である。
【図９】有機ＥＬパネルの駆動特性を示す図である。
【図１０】同実施形態に係る腕時計型情報機器の表示部のセグメント電極とコモン電極の割付例を示す模式図である。
【図１１】同実施形態に係る腕時計型情報機器の表示部のセグメント電極とコモン電極の駆動波形を示す波形図である。
【図１２】同実施形態に係る腕時計型情報機器のパネルドライバが記憶する駆動方式管理テーブルを示す図である。
【図１３】同実施形態に係る腕時計型情報機器のＬＣＤと有機ＥＬパネルを駆動した場合の各種電圧値を示す図である。
【図１４】同実施形態に係る腕時計型情報機器のＬＣＤと有機ＥＬパネルを駆動した場合の各種電圧値を示す図である。
【図１５】同実施形態に係る腕時計型情報機器のＣＰＵの処理を流れを示すフローチャート図である。
【図１６】同実施形態に係る腕時計型情報機器の表示部にスケジュール情報が表示される動作例を示す模式図である。
【符号の説明】
【００７７】
１・・・カバーガラス、２・・・ケース、３・・・ＩＣチップ、４・・・回路基板、５・・・水晶振動子、６・・・裏蓋、１００・・・腕時計型情報機器、１０１・・・発振回路、１０２・・・分周回路、１０３・・・ＣＰＵ、１０４・・・ＲＯＭ、１０５・・・ＲＡＭ、１０６・・・操作入力部、１０７・・・パネルドライバ、１０７ａ・・・駆動方式管理テーブル、１０７ｂ・・・駆動方法制御回路、１０７ｃ・・・駆動電圧制御回路、１０９・・・電池、１１０・・・表示部、１１１・・・有機ＥＬパネル、１１１ｂ・・・青色表示領域、１１１ｒ・・・赤色表示領域、１１１ｇ・・・緑色表示領域、１１２・・・ＬＣＤ（液晶パネル）、１２０・・・操作スイッチ。
【図１】
2006091894.tif 000003
【図２】
2006091894.tif 000004
【図３】
2006091894.tif 000005
【図４】
2006091894.tif 000006
【図５】
2006091894.tif 000007
【図６】
2006091894.tif 000008
【図７】
2006091894.tif 000009
【図８】
2006091894.tif 000010
【図９】
2006091894.tif 000011
【図１０】
2006091894.tif 000012
【図１１】
2006091894.tif 000013
【図１２】
2006091894.tif 000014
【図１３】
2006091894.tif 000015
【図１４】
2006091894.tif 000016
【図１５】
2006091894.tif 000017
【図１６】
2006091894.tif 000018